(57)【要約】【課題】  電源装置から発生する高調波による受信妨害を防ぐ。【解決手段】  ラジオの放送波を選局したとき、受信周波数を取得する。電源装置の2次側の出力電圧から発振周波数を検出する。受信周波数と発振周波数を比較する。受信周波数と発振周波数のｎ倍（ｎは自然数）との差が偏差内にあるか判断する。この差が偏差外のとき、高調波の影響がないと判断し、放送波を受信する。差が偏差内になるとき、高調波の影響を受けるので、受信とは関係ない動作をする負荷装置に対して、その動作をオンあるいはオフする。電源装置に対する負荷が変動して、発振周波数が変化する。受信への高調波の影響がなくなる。【選択図】  図２
2005045549.tif 000002
【特許請求の範囲】
【請求項１】
特定の周波数の電波を受信する受信装置と、所定の動作を行う負荷装置と、該負荷装置に電力を供給する電源装置と、前記負荷装置を駆動制御する制御装置とを備えた電気機器であって、前記制御装置は、受信電波に対する前記電源装置から発生した高調波の影響を排除するために、前記負荷装置を駆動制御して、前記電源装置の発振周波数を変化させることを特徴とする受信装置を備えた電気機器。
【請求項２】
特定の周波数の電波を受信する受信装置と、所定の動作を行う負荷装置と、該負荷装置に電力を供給する電源装置と、前記負荷装置を駆動制御する制御装置とを備えた電気機器であって、前記制御装置は、前記電源装置の発振周波数を検出する手段と、前記発振周波数が受信電波の周波数に影響を及ぼすか否かを判断する手段と、影響を及ぼすとき、前記電源装置に対する負荷が変動するように、前記負荷装置の駆動を制御する手段とを有することを特徴とする受信装置を備えた電気機器。
【請求項３】
ラジオの放送波を受信する受信装置と、受信以外の動作を行う負荷装置と、該負荷装置に電力を供給するスイッチング方式の電源装置と、前記負荷装置を駆動制御する制御装置とを備えた電気機器であって、前記制御装置は、前記電源装置の２次側の整流前の出力から発振周波数を検出する手段と、前記発振周波数と放送波の受信周波数とを比較する手段と、比較の結果、前記発振周波数のｎ倍（ｎは自然数）と受信周波数との差が設定された偏差内にあるとき、前記負荷装置の動作をオンオフする手段とを有することを特徴とする受信装置を備えた電気機器。
【発明の詳細な説明】
【技術分野】
【０００１】
本発明は、例えばＡＭラジオ放送等の電波を受信する受信装置を備え、スイッチング方式の電源装置から供給される電力によって作動するオーディオ機器等の電気機器に関する。
【背景技術】
【０００２】
ＡＭラジオの放送波を受信する受信装置およびＣＤやＭＤの再生装置等を備えたオーディオ機器において、各装置を作動させるための電力を供給するのにスイッチング方式の電源装置が使用され、機器の小型軽量化が図られている。
【０００３】
この電源装置では、入力された交流電源を高周波でスイッチングし、トランスにより変圧し、整流して、直流電力を出力する。受信装置が、この電力によって作動して、選局された放送波を受信する。
【０００４】
ところで、電源装置が動作するときの発振周波数に対し、その整数倍の周波数を持つ高調波が発生する。例えば、図３に示すように、発振周波数が７０ｋＨｚのとき、高調波は１４０ｋＨｚ、２１０ｋＨｚ、２８０ｋＨｚのように７０ｋＨｚ毎に現れる。このような高調波の周波数が放送波の受信周波数と近接する場合、高調波がノイズとなって、放送波に干渉し、受信装置は放送波を良好に受信できなくなる。
【０００５】
このような高調波による受信妨害を防止するために、特許文献１、２では、高調波の周波数と受信周波数とが一致するとき、電源装置の発振周波数を異なる周波数に切り替えている。特許文献３では、２つの電源回路を受信時とスタンバイ状態のときに応じて切り替えている。
【特許文献１】特開平１１−１２２１２３号公報（段落００１４、００１５）
【特許文献２】特開平１１−３３２２３０号公報（段落００２１、００２２）
【特許文献３】特開２００１−７５６５４号公報（段落００２４、００２５）
【発明の開示】
【発明が解決しようとする課題】
【０００６】
従来の高調波に対する対策では、発振周波数を切り替えるための回路が必要となったり、別に電源回路を設ける必要がある。このような回路を設けることにより、コストアップとなる。また、電源装置の２次側に接続される負荷の変動により、電源装置からの出力電圧が変化して、発振周波数が変化する。上記の回路を作動させることにより、負荷が変動することになり、切り替えた発振周波数が変化して、再び受信周波数に一致するおそれがある。
【０００７】
そこで、本発明は、上記に鑑み、負荷が変動することにより発振周波数が変化するということを利用して、新たに回路を設けることなく、電源装置の発振周波数による放送波等の電波の受信妨害を防ぐことができる電気機器の提供を目的とする。
【課題を解決するための手段】
【０００８】
本発明は、特定の周波数の電波を受信する受信装置と、所定の動作を行う負荷装置と、該負荷装置に電力を供給する電源装置と、前記負荷装置を駆動制御する制御装置とを備え、制御装置は、受信電波に対する前記電源装置から発生した高調波の影響を排除するために、前記負荷装置を駆動制御して、前記電源装置の発振周波数を変化させるものである。
【０００９】
高調波が放送波等の受信に悪影響を及ぼすとき、負荷装置の作動あるいは停止によって、電源装置に対する負荷を変動させる。すると、発振周波数が変化するので、高調波の周波数が受信電波の周波数からずれる。その結果、受信電波に対して高調波は影響しなくなり、良好に受信できる。
【００１０】
これを実行するために、制御装置は、受信周波数を検出する手段と、電源装置の発振周波数を検出する手段と、前記発振周波数が受信電波の周波数に影響を及ぼすか否かを判断する手段と、影響を及ぼすとき、電源装置に対する負荷が変動するように、負荷装置の駆動を制御する手段とを有するものとする。
【００１１】
受信周波数を検出するとき、放送波や無線通信では使用できる周波数が特定されているので、受信したいチャンネルを選局することにより、自動的に受信周波数を認識できる。発振周波数を検出するとき、電源装置の２次側の整流前の出力から発振周波数を検出する。これによって、正確な発振周波数を検出することができる。
【００１２】
そして、影響を及ぼすか否かの判断は、特定の受信周波数と発振周波数あるいは高調波の周波数とを比較する。そして、両者が一致しているか、あるいは近接しているかどうかによって判断する。
【００１３】
一致あるいは近接しているとき、高調波が受信に影響を及ぼし、近接していないとき、受信には高調波は影響しない。具体的には、発振周波数のｎ倍（ｎは自然数）と受信周波数との差を算出する。算出された差が偏差内にあれば、近接していることになり、影響があると判断する。差が偏差内になければ、近接していないので、影響がないと判断する。
【００１４】
影響があると判断したときにおける負荷装置の駆動制御は、負荷装置の動作をオンする、オフする、動作を変更するといったことを行う。なお、駆動制御の対象となる負荷装置は、受信以外の動作を行うものである。
【００１５】
これによって、負荷装置に電流が流れたり、電流が止まったりして、電源装置からの出力電流が増減し、電源装置に対する負荷が変動する。すると、発振周波数が変動し、高調波の周波数が受信周波数からずれる。算出された差が偏差外になるので、高調波による受信妨害がなくなる。
【００１６】
ここで、受信装置が、ラジオ、特にＡＭラジオの放送波を受信するものであるとき、受信周波数が発振周波数に近いので、高調波の影響が大きい。しかし、上記のように必要に応じて負荷を変動させることにより、受信時の高調波の影響を防げる。
【発明の効果】
【００１７】
本発明によると、受信時に、負荷装置を駆動制御して、電源装置に対する負荷を変動させることにより、発振周波数に基づく高調波による受信周波数への影響を排除できる。この場合、負荷装置は既設のものを利用すれば、新設する必要がなく、ソフト処理によって実現でき、コスト的にもスペース的にも負担にならない。
【発明を実施するための最良の形態】
【００１８】
本実施形態の電気機器は、図１に示すように、ＡＭ／ＦＭラジオの受信装置１とＣＤ、ＭＤ、ＤＶＤ、ＨＤＤ，ビデオテープ等の記録媒体の再生装置とを搭載した複合機器であり、スイッチング方式の電源装置２および各装置を駆動制御するマイコンからなる制御装置３を備えている。
【００１９】
受信装置１は、放送波を受信するチューナ、受信した音声信号をスピーカから出力するために増幅する増幅回路等から構成され、制御装置３により、選局された周波数の放送波を受信するように制御される。再生装置は、電源装置２の２次側に接続された負荷装置４であって、例えばＹ／Ｃ分離ＩＣ５、クロマＩＣ６、その他の回路７とされる。各負荷装置４は、制御装置３にＩ２Ｃバス８によって通信可能に接続される。そして、外部からの操作信号に基づく制御装置３からのバス制御により、負荷装置４は所定の処理を行うように動作する。
【００２０】
電源装置２は、いわゆるスイッチング電源装置であり、整流回路（図示せず）と、スイッチング素子（図示せず）と、トランス１０と、ダイオード１１およびコンデンサ１２からなる整流平滑回路によって構成される。電源装置２において、商用交流電源の電力が整流平滑され、整流平滑された直流電力が、制御装置３によってオンオフされるスイッチング素子を介してトランス１０に供給され、直流電力が変圧されてトランス１０から出力される。出力された直流電力は、整流平滑され、制御装置３、受信装置１、負荷装置４にそれぞれ供給される。このとき、制御装置３は、動作する負荷装置４に対して電源装置２からの電力が供給されるように、スイッチ１３をオンする。一方、動作しない負荷装置４に対しては、スイッチ１３をオフにして、電力が供給されないようにする。なお、ＩＣを含む負荷装置４に対しては、スイッチ１３を設けなくてもよく、制御装置３によってこのような負荷装置４をソフト的にオンオフできる。
【００２１】
ところで、電源装置２は高速でスイッチングするため、高調波が発生する。この高調波は、発振周波数のｎ倍（ｎは自然数）の周波数を持ち、放送波を受信するときのノイズとなる。高調波による受信妨害を防ぐために、制御装置３は、電源装置２の発振周波数を検出する検出手段と、発振周波数と放送波の受信周波数とを比較する比較手段と、比較の結果、高調波の周波数が受信周波数に近接するとき、電源装置２に対する負荷が変動するように、負荷装置４の駆動を制御する駆動手段とを有する。
【００２２】
検出手段は、トランス１０の２次側において整流平滑回路よりも上流側の出力電圧に基づいて周波数を検出する。すなわち、トランス１０からの直流電力は制御装置３に入力され、カウンタによって入力された電圧の周期が測定される。したがって、発振周波数は、制御装置３によって常時モニターされる。また、整流前の出力電圧の周波数をモニターすることにより、素早く正確に電源周波数を検出でき、電源周波数の変化に対応できる。
【００２３】
比較手段は、高調波の周波数に相当する発振周波数のｎ倍（ｎは自然数）の周波数と受信周波数との差を算出する。そして、算出された差が設定された偏差内にあるか否かを判断する。すなわち、この差が偏差内にあれば、高調波の周波数が受信周波数に近接していることになり、高調波が受信に影響を及ぼすと判断する。この差が偏差を越えれば、高調波が受信に影響を及ぼさないと判断する。
【００２４】
なお、選局することにより、受信したい放送波の周波数が決定されるので、制御装置３は、受信周波数を自動的に取得できる。制御装置３において、入力された受信信号からカウンタによって受信周波数を検出するようにしてもよい。
【００２５】
駆動手段は、電源装置２に対する負荷が変動するように、2次側に接続された負荷装置４の動作をオンオフする。例えば、Ｉ２Ｃバス８による通信を利用して、制御装置３のソフト処理によりＩＣを含む負荷装置４をオンオフする制御を行う。すなわち、ＩＣをオンすることにより、出力電流が増加し、ＩＣをオフすることにより、出力電流が減少するので、電源装置２に対する負荷が増減する。あるいは、スイッチ１３をオンして、電源装置２からの電力を負荷装置４に供給したり、スイッチ１３をオフして、負荷装置４への電力の供給を断ったりする。これにより、電源装置２からの出力電流が変動し、電源装置２に対する負荷が増減して、発振周波数が変化する。
【００２６】
このとき、制御装置３は、受信とは関係のない動作を行う負荷装置４を選択して、その駆動を制御する。このような負荷装置４としては、表示、映像処理等を行うものがある。
【００２７】
次に、放送波を受信するときの動作を図2に基づいて説明する。所望の放送波を受信するように選局が行われる。これに伴って、制御装置３は受信周波数であるｆｒを取得する。また、制御装置３は、電源装置２の発振周波数を常時モニターしているので、現在の発振周波数であるｆｐも取得する。
【００２８】
そして、制御装置３は、受信周波数と発振周波数とを比較する。受信周波数が発振周波数をｎ倍した値に近接していないか確認する。具体的には、次式に基づいて受信周波数と発振周波数のｎ倍との差が偏差内にあるか判断する。
【００２９】
−ｘ≦ｆｒ−ｎ＊ｆｐ≦ｘ
ｘは偏差値、例えば５ｋＨｚ
例えば、ＡＭラジオの受信周波数が５６０ｋＨｚのとき、発振周波数が７０ｋＨｚであると、8倍の高調波が受信周波数と一致する。この偏差値は、周波数の測定誤差や高調波が回路内を伝達するときの減衰を考慮して設定される。
【００３０】
比較の結果、算出された差が偏差内になければ、高調波の影響はないと判断する。そして、選局された放送波を受信する通常の動作を行う。
【００３１】
算出された差が偏差内にあれば、放送波の受信に高調波が悪影響を及ぼすと判断する。制御装置３は、受信に関係ない動作をする負荷装置４を１つあるいは複数選択する。そして、その負荷装置４が停止しているときは、バス制御により動作させる。あるいは、スイッチ１３をオンして、負荷装置４に電力を供給する。負荷装置４が動作しているときは、バス制御により停止させたり、スイッチ１３をオフして、電力の供給を断つ。あるいは、動作モードを停電モード、低消費電力モード等に変更する。
【００３２】
なお、受信周波数と発振周波数の比較において、ｆｒ／（ｎ＊ｆｐ）を算出して、その比率から影響を及ぼすか否かを判断してもよい。
【００３３】
以上のように負荷装置４を駆動制御することにより、負荷装置４に電流が流れたり、あるいは電流が止まったりして、電源装置２に対する2次側の負荷が変動する。すると、電源装置２から出力される電力が変化し、発振周波数が変化する。例えば、負荷が増えると、発振周波数は下がり、負荷が減少すると、発振周波数は上がる。
【００３４】
負荷を変動させた後、制御装置３は、再び受信周波数と発振周波数とを比較する。比較の結果、算出された差が偏差内になければ、選局された放送波を受信する通常の動作を行う。算出された差が偏差内にあれば、他の負荷装置４を駆動制御して、電源装置２に対する負荷を変動させる。
【００３５】
したがって、電源装置２から高調波が発生しても、その高調波の周波数を放送波の受信周波数からずらすことにより、ノイズとして受信に影響することがなくなる。受信妨害を防止でき、放送波を良好に受信できる。
【００３６】
なお、本発明は、上記実施形態に限定されるものではなく、本発明の範囲内で上記実施形態に多くの修正および変更を加え得ることは勿論である。電源装置は、高調波を発生する電源装置であればよく、インバータ制御を行うもの、トライアック等により位相制御を行うものがある。受信装置は、ＡＭラジオの放送だけでなく、ＦＭ放送、テレビ放送を受信するものでもよく、さらには無線通信を行うものであってもよい。このような電源装置および受信装置を備えた電気機器としては、テレビ、ビデオデッキ、無線通信機、携帯電話、情報携帯端末（ＰＤＡ）、パソコンがある。
【００３７】
また、負荷装置として、既設の回路、ＩＣを利用したが、専用回路を設けてもよく、スイッチをオンして、専用回路に電流を流す。例えば、抵抗等によって専用回路を形成して、電力を消費することにより、電源装置に対する負荷を増やす。
【図面の簡単な説明】
【００３８】
【図１】本発明の受信装置を備えた電気機器の概略回路図
【図２】ラジオ放送波受信時の制御装置の動作フローチャート
【図３】高調波をスペクトラム解析した波形図
【符号の説明】
【００３９】
１    受信装置
２    電源装置
３    制御装置
４    負荷装置
１０    トランス
【図１】
2005045549.tif 000003
【図２】
2005045549.tif 000004
【図３】
2005045549.tif 000005